(57)【特許請求の範囲】
【請求項１】
電着塗装を施すときに被塗装物に取り付けるマスキング装置であって、
筒状の被塗装物の両端に形成された開口部のうちの一方に挿着して該一方の開口部を封止する挿着部材と、前記被塗装部材に接する通電部材と、前記被塗装物の他方の開口部に取り付けて該他方の開口部を封止する外装部材とを備え、
前記挿着部材は、先端から後端にかけて連続して次第に拡径するテーパ状の外周面を備え、該外周面の先端側の少なくとも一部を前記開口部に挿入することにより該開口部の外周縁を露出させた状態で該開口部の内周縁を封止し、
前記通電部材は、前記挿着部材に支持され、前記挿着部材が前記開口部を封止した状態を維持すべく前記被塗装物の内面に弾発的に当接する当接部を備え、
前記外装部材は、前記被塗装物の他端側の外周面の所定領域を覆う被覆部を備えることを特徴とするマスキング装置。
【請求項２】
電着塗装を施すときに被塗装物に取り付けるマスキング装置であって、
筒状の被塗装物の開口部に挿着して該開口部を封止する挿着部材と、前記被塗装部材に接する通電部材とを備え、
前記挿着部材は、先端から後端にかけて連続して次第に拡径するテーパ状の外周面を備え、該外周面の先端側の少なくとも一部を前記開口部に挿入することにより該開口部の外周縁を露出させた状態で該開口部の内周縁を封止し、
前記通電部材は、前記挿着部材に支持され、前記挿着部材が前記開口部を封止した状態を維持すべく前記被塗装物の内面に当接する一対の当接部と、両当接部の間に位置して両当接部に前記被塗装物の内面への圧接力を付与するバネ部とを備えることを特徴とするマスキング装置。
【発明の詳細な説明】
【技術分野】
【０００１】
本発明は、筒状の被塗装物に電着塗装を施すときに被塗装物に取り付けて、被塗装物の内面への塗料の付着を防止するマスキング装置に関する。
【背景技術】
【０００２】
従来の電着塗装は、塗料槽へ被塗装物全体を投入し、被塗装物へ電気的導通を行うことで、電気的作用により露出された表面部へ塗装を施すことが一般的に行われている。
【０００３】
近年、自動車部品等に見られる筒状の物品には、物品の外面の一部と、物品の内面を非塗装とする仕様要求があり、この要求に対し従来法で塗装を施すことは、マスク方法を含めた電気的導通を確保するための技術的手段が容易には得られない実情がある。
【０００４】
このような筒状の物品を被塗装物として電着塗装を施す場合、非塗装領域である被塗装物の内面に塗料が付着しないように、開口部をキャップ形状の閉塞部材にて塞ぐ技術が公開されている（例えば、下記特許文献１参照）。
【先行技術文献】
【特許文献】
【０００５】
【特許文献１】実公昭５８−５２２８８号公報
【発明の概要】
【発明が解決しようとする課題】
【０００６】
しかし、上記従来の閉塞部材は、電着塗装における塗料槽への浸漬による塗装工程において、温度変化による内圧の上昇により、前記閉塞部材が被塗装物から外れてしまう致命的な不具合がある。また、開口部を塞ぐキャップ形状の閉塞部材では、被塗装物の開口部の周縁部の外面を一部覆ってしまい、非塗装部が生じる不都合がある。更に、開口部を塞ぐキャップ形状の閉塞部材では、その形状が比較的複雑であるだけでなく、筒状の被塗装物の開口部の外径の変化に応じて寸法の異なる複数の閉塞部材を用意する必要が生じ、管理が煩雑となりコスト的及び、塗布ムラなどの品質にも課題がある。
【０００７】
上記の点に鑑み、本発明は、筒状の被塗装物の開口部の周縁部の外面を覆うことなく、内圧による閉塞部材の外れを確実に防止して開口部を閉塞すると同時に電気的導通を確保し、更には簡易構造で比較的安価なマスキング装置を提供することを目的とする。
【課題を解決するための手段】
【０００８】
かかる目的を達成するために、本発明は、電着塗装を施すときに被塗装物に取り付けるマスキング装置であって、筒状の被塗装物の両端に形成された開口部のうちの一方に挿着して該一方の開口部を封止する挿着部材と、前記被塗装部材に接する通電部材と、前記被塗装物の他方の開口部に取り付けて該他方の開口部を封止する外装部材とを備え、前記挿着部材は、先端から後端にかけて連続して次第に拡径するテーパ状の外周面を備え、該外周面の先端側の少なくとも一部を前記開口部に挿入することにより該開口部の外周縁を露出させた状態で該開口部の内周縁を封止し、前記通電部材は、前記挿着部材に支持され、前記挿着部材が前記開口部を封止した状態を維持すべく前記被塗装物の内面に弾発的に当接する当接部を備え、前記外装部材は、前記被塗装物の他端側の外周面の所定領域を覆う被覆部を備えることを特徴とする。
【０００９】
本発明によれば、挿着部材に通電部材を設け、更に、この通電部材に被塗装物の内面に弾発的に圧接する当接部を設けたことにより、被塗装物の開口部からの挿着部材の抜け防止効果を確実に得ると同時に、挿着部材の姿勢を安定させることができることで、塗料槽おける被塗装物の姿勢も安定的に維持され、塗装品質の均一化を図ることができる。また簡易構造であることから安価に製作することができる。しかも、外装部材を備え、この外装部材が被塗装物の他端側の外周面の所定領域を覆う被覆部を備えるので、外装部材の被覆部により、所定領域に非塗装部を形成することができる。
【００１０】
また、本発明は、電着塗装を施すときに被塗装物に取り付けるマスキング装置であって、筒状の被塗装物の開口部に挿着して該開口部を封止する挿着部材と、前記被塗装部材に接する通電部材とを備え、前記挿着部材は、先端から後端にかけて連続して次第に拡径するテーパ状の外周面を備え、該外周面の先端側の少なくとも一部を前記開口部に挿入することにより該開口部の外周縁を露出させた状態で該開口部の内周縁を封止し、前記通電部材は、前記挿着部材に支持され、前記挿着部材が前記開口部を封止した状態を維持すべく前記被塗装物の内面に当接する一対の当接部と、両当接部の間に位置して両当接部に前記被塗装物の内面への圧接力を付与するバネ部とを備えることを特徴とする。
【図面の簡単な説明】
【００１２】
【図１】マスキング装置の使用状態を示す説明的断面図。
【図２】挿着部材及び通電部材を示す説明的断面図。
【発明を実施するための形態】
【００１３】
本発明の一実施形態を図面に基づいて説明する。本実施形態のマスキング装置１は、図１に示すように、筒状の被塗装物である金属製のパイプ部品Ｗに取り付けられ、絶縁材料による（例えば合成樹脂製の）挿着部材２と、導電性材料による（例えば金属製の）通電部材３とを備えている。更に、マスキング装置１は、絶縁材料による（例えば合成樹脂製の）外装部材４を備えていてもよい。
【００１４】
図２に示すように、挿着部材２は、先端から後端にかけて連続して次第に拡径するテーパ状の外周面２１を備えている。
【００１５】
通電部材３は、基端部３１が挿着部材２に挿通支持され、挿着部材２の先端から延出する一対の当接部３２，３３が形成されている。当接部３２，３３は互いに相反する方向を向けて設けられ、当接部３２，３３の間には、バネ部３４が形成されている。バネ部３４の形状は弾発的機能を備えていれば、本形状に限定するものではない。通電部材３の基端部３１には、挿着部材２の後端から外方に延出する導電性を有する把持部５が接続されている。
【００１６】
図１に示すように、挿着部材２は、パイプ部品Ｗの一方の開口部ｗ１に先端側を挿入することにより、テーパ状の外周面２１が開口部ｗ１の内周縁全周に密着して封止する。このとき、挿着部材２のテーパ状の外周面２１は、パイプ部品Ｗの開口部ｗ１の外周縁ｗ２を覆うことなく露出させた状態となる。これにより、パイプ部品Ｗの開口部ｗ１の周縁部外面に非塗装部が生じることがない。
【００１７】
また、通電部材３の当接部３２，３３は、パイプ部品Ｗの内部に位置するとき、バネ部３４の付勢によって、パイプ部品Ｗの内面の対向位置に圧接した状態となる。これにより、挿着部材２がパイプ部品Ｗから不用意に抜けることはなく、開口部ｗ１の内周縁を封止した状態を強固に維持することができ、パイプ部品Ｗの内圧上昇による影響も防止することができる。
【００１８】
更に、挿着部材２は、テーパ状の外周面２１を備えているので、当該外周面２１の先端の径（最小径）より大径で、当該外周面２１の後端（最大径）より小径での開口部を有する開口部ｗ１であれば、封止することができる。しかも、挿着部材２は、テーパ状の外周面２１によってパイプ部品Ｗの開口部ｗ１を封止できるので、パイプ部品Ｗの開口部ｗ１側に封止のための構成を設ける必要がない。
【００１９】
このように、本実施形態のマスキング装置１は、挿着部材２に通電部材３を設けただけでなく、通電部材３にパイプ部品Ｗの内面にバネ部３４により弾発的に圧接する当接部３２，３３を設けたことにより、簡易構造で安価に構成でき、パイプ部品Ｗの開口部ｗ１からの挿着部材２の抜け防止効果を確実に得ることができる。
【００２０】
また、図１に示すように、外装部材４は、パイプ部品Ｗの他方の開口部ｗ３に嵌合して封止する。外装部材４は、開口部ｗ３を封止したとき、開口部ｗ３の近傍の外周面２１を覆う筒状の被覆部４１を備えている。被覆部４１は、マスキングが必要な領域を被覆することにより、パイプ部品Ｗの外面に所望の非塗装部分を形成することができる。また、外装部材４の開口部付近であって内側に、１以上の凹凸上のリブを設けてもよい。
【００２１】
なお、図示しないが、パイプ部品Ｗの他方の開口部ｗ３には、外装部材４を設けることなく、パイプ部品Ｗの両端の開口部ｗ１，ｗ３に、図２に示した挿着部材２を装着して電着塗装を行うことができる。これによれば、パイプ部品Ｗの全長にわたる外周面全部に塗り残しなく塗装を施すことができる。
【符号の説明】
【００２２】
Ｗ…パイプ部品（被塗装物）、ｗ１，ｗ３…開口部、ｗ２…外周縁、１…マスキング装置、２…挿着部材、３…通電部材、２１…外周面、３２，３３…当接部、３４…バネ部、４…外装部材、４１…被覆部。
【要約】
【課題】筒状の被塗装物の開口部の周縁部の外面を覆うことなく外れを防止し、電気的導通を確保した状態で開口部を確実に閉塞することができ、しかも簡易構造として比較的安価なマスキング装置を提供する。
【解決手段】筒状の被塗装物Ｗの開口部ｗ１に挿着して開口部ｗ１を封止する挿着部材２と、被塗装部材Ｗに接する通電部材３とを備える。挿着部材２は、テーパ状の外周面２１を備え、外周面２１の先端側を開口部ｗ１に挿入することにより開口部ｗ１の外周縁ｗ２を露出させた状態で開口部ｗ１の内周縁を封止する。通電部材３は、挿着部材２に支持され、被塗装物の内面に弾発的に当接する当接部３２，３３を備える。
【選択図】図１【図１】
0006771793.tif 000002
【図２】
0006771793.tif 000003